Podtech/llm-jp-corpus-v4-ja_patent huggingface dataset:
(57)【要約】【課題】省エネルギーで故障の少ない電気透析装置を提供する。【解決手段】陽イオン交換膜と陰イオン交換膜を交互に積層した構造を有し、該イオン交換膜間の脱塩室を上下方向に液体が流通する経路を持つ電気透析装置において、脱塩前液体を保持するタンクが脱塩室下側に接続され、脱塩後液体を保持するタンクが脱塩室上側に接続された構造を有する電気透析装置であって、脱塩室を循環させる駆動装置をもたず、かつ、脱塩後液のオーバーフローぐちが脱塩前液体の液面より高い位置となる構造を有することを特徴とする電気透析装置。一般的電気透析装置のように循環ポンプを使用せず、脱塩前後の比重差を利用して、脱塩液体を系外に排出する構造を有することで、省エネルギーで故障の少ない電気透析装置を提供する。【選択図】  図１
2004275915.tif 000002
【特許請求の範囲】
【請求項１】
陽イオン交換膜と陰イオン交換膜を交互に積層した構造を有し、該イオン交換膜間の脱塩室を上下方向に液体が流通する経路を持つ電気透析装置において、脱塩前液体を保持するタンクが脱塩室下側に接続され、脱塩後液体を保持するタンクが脱塩室上側に接続された構造を有し、かつ、脱塩室内を循環させる駆動装置をもたず、脱塩後液のオーバーフローぐちが脱塩前液体の液面より高い位置となる構造を有することを特徴とする電気透析装置。
【発明の詳細な説明】
【０００１】
【発明の属する技術分野】
本発明は、省エネルギーかつ故障頻度の低い電気透析装置に関する。
【０００２】
【従来の技術】
従来の電気透析装置は、脱塩液と濃縮液、場合によっては電極液をポンプによって循環させる構造を有し、脱塩そのものに要する電力以外にポンプ動力が必要となり、エネルギー効率の観点から、改善を望まれるものであった。また、ポンプは可動部であることから故障の原因となる確率の高い部品として、改善が望まれていた。また省エネルギーを考慮した電気透析装置が検討されており、例えば、陰極板で発生する水素ガスをエネルギー源として有効利用しようとする試みがあった（特許文献１参照）。
【０００３】
【特許文献１】
特開平７−２１６２６１号公報
【０００４】
【発明が解決しようとする課題】
本発明の目的は故障の多いポンプをなるべく使用せず、省エネルギーかつ故障頻度の低い電気透析装置を提供することである。
【０００５】
【課題を解決するための手段】
本発明は、循環ポンプを使用しない電気透析装置に関する。
すなわち、本発明は陽イオン交換膜と陰イオン交換膜を交互に積層した構造を有し、該イオン交換膜間の脱塩室を上下方向に液体が流通する経路を持つ電気透析装置において、脱塩前液体を保持するタンクが脱塩室下側に接続され、脱塩後液体を保持するタンクが脱塩室上側に接続された構造を有し、かつ、脱塩室内を循環させる駆動装置をもたず、脱塩後液のオーバーフローぐちが脱塩前液体の液面より高い位置となる構造を有することを特徴とする電気透析装置に関する。
【０００６】
本発明は、一般に使用される電気透析装置と異なり、循環ポンプを使用せず、脱塩によって生じる比重差で脱塩された液体を系外に排出する構造を有する脱塩装置に関する。
本発明で用いる陽イオン交換膜と陰イオン交換膜交換膜は、従来、使用されてきた一般的なイオン交換膜を使用することができる。また、外界と遮断された構造とするために、一般的な電気透析装置に使用されるガスケットを使用することができる。
【０００７】
また、これらのイオン交換膜とガスケットを積層した構造物は、陰極板と陽極板で挟まれ、電圧を印加できる構造であることが必要である。ただし、上記積層物中の少なくとも脱塩室は上下方向に液体が流通する経路を持つ必要があり、脱塩室に通液して脱塩する前の液体、すなわち、脱塩前液体を保持するタンクが脱塩室下側に接続され、脱塩室に通液し脱塩された液、すなわち、脱塩後液体を保持するタンクが脱塩室上側に接続された構造を有する必要がある。また、脱塩後液のオーバーフローぐちが脱塩前液体の液面より高い位置となる構造を有する必要がある。この構造とは、大過剰準備した脱塩前液の界面に対し、脱塩後液のオーバーフローぐちを高くすること、もしくは、脱塩前液タンクにオーバーフローぐちを設け、液面が一定となる仕組みをもうけ、そのオーバーフローぐちより高い位置に脱塩後液のオーバーフローぐちを設定すること等である。ただし、脱塩液を循環させる駆動部をもつ必要はない。
【０００８】
すなわち、通常、電気透析では脱塩されることにより比重の減少があるため、自然対流で脱塩された液が上昇し、比重差でオーバーフローさせ、脱塩液を系外へ排出させるものである。
本発明の電気透析装置は、通常使用する交流電源の使用が抑制できるため、太陽電池と組み合わせることでその機能をより有効に利用することができる。また、脱塩室の循環のみでなく、濃縮時の比重上昇を利用し、濃縮室の循環駆動装置を設けないことで、より有効な利用が可能となる。さらには、太陽電池を電源とする海水淡水化装置に、容易に応用することができる。
【０００９】
【発明の実施の形態】
次に、図面に基いて、本発明の実施の態様を具体的に説明するが、本発明はこれらに限定されるものではない。
図１に示すように、電気透析装置の膜積層構造体とは、３陽イオン交換膜と４陰イオン交換膜、５ガスケットと両端の１１陰電極板と１２陽電極板で構成され、３陽イオン交換膜と４陰イオン交換膜との間の空間は、７脱塩室または８濃縮室となり、両端の膜と１１陰電極板または１２陽電極板の間にできる空間は９陽電極室または１０陰電極室となる。また、７脱塩室は、５ガスケットで外界と遮断されているが、上部と下部は、１脱塩前液タンクまたは２脱塩後液タンクと液体が流通できる構造とする。さらに、６脱塩後液オーバーフローぐちが２脱塩前液タンクの液面より高い位置となるようコントロールする。
【００１０】
これらの構造を有することにより、脱塩を終了した液を装置外に排出することができるのである。したがって、脱塩室を循環させるための駆動装置は必要ない。また、６脱塩後液オーバーフローぐちと２脱塩前液タンクの液面との高低差で、脱塩レベルをどの程度の脱塩レベルで系外に排出するかをコントロールすることができる。
【００１１】
【発明の効果】
本発明の電気透析装置を用いることにより、省エネルギーで故障の少ない電気透析装置とすることができる。
【図面の簡単な説明】
【図１】本発明の循環ポンプレス電気透析装置の構造の一例を示す概念図
【符号の説明】
１  脱塩後液タンク
２  脱塩前液タンク
３  陽イオン交換膜
４  陰イオン交換膜
５  ガスケット
６  脱塩後液オーバーフローぐち
７  脱塩室
８  濃縮室
９  陽電極室
１０  陰電極室
１１  陰電極板
１２  陽電極板
【図１】
2004275915.tif 000003
(57)【要約】【課題】突出レバーを指で握り続ける必要がなく、指を突出レバーから離してエアゾール缶を握った状態での消火作業となって消火がしやすくなるは勿論，安定した消火剤の放出ができる簡易消火具を得る。【解決手段】エアゾール缶１の口金２に弁体３を有し、この弁体３を押すと弁孔が開いて消火剤が放出されるものであって、口金２に装着したトリガー格納部材６と、このトリガー格納部材６内にあってその一端側７ａを支点として他端側の突出レバー８の握り込みによりその中間部が押し込み移動して弁体３を押すトリガー７と、このトリガー７に構成されて弁体３を押したときに前記弁孔と通じる消火剤導入口１０ａと消火剤放出口１０ｂとを連通する消火剤通路１０と、突出レバー８が握り込まれてトリガー７が押し込み移動したときにトリガー７がトリガー格納部材６に係止してその押し込み位置に止まるストッパー１１とを備えてなる。【選択図】        図１
2004275473.tif 000002
【特許請求の範囲】
【請求項１】
エアゾール缶の口金部分に弁体を有し、この弁体を押すと弁孔が開いて消火剤が放出されるものであって、前記口金に装着したトリガー格納部材と、このトリガー格納部材内にあってその一端側を支点として他端側の突出レバーの握り込みによりその中間部が押し込み移動して前記弁体を押すトリガーと、このトリガーに構成されて前記弁体を押したときに前記弁孔と通じる消火剤導入口と消火剤放出口とを連通する消火剤通路と、前記突出レバーが握り込まれて前記トリガーが押し込み移動したときに前記トリガーがトリガー格納部材に係止してその押し込み位置に止まるストッパーとを備えたことを特徴とする簡易消火具。
【請求項２】
トリガー格納部材に被さってその突出レバーごと覆う形状をした安全キャップを備えたことを特徴とする請求項１記載の簡易消火具。
【発明の詳細な説明】
【０００１】
【発明の属する技術分野】
この発明は、エアゾール缶を使ったもので、消火器に似た用途に供する簡易消火具に関するものである。
【０００２】
【従来の技術】
従来のこの種の簡易消火具は、図４に示すようにエアゾール缶１の口金２に弁体３を有し、押し釦４を指で押すとこの弁体３が押されて弁孔５が開き、エアゾール缶１内の消火剤が押し釦４の噴口４ａから放出されるようになっている。
【０００３】
【発明が解決しようとする課題】
従来のこの種の簡易消火具は以上のように構成されているので、押し釦４から指を離すと、エアゾール缶１の内圧が弁体３を内側から押して弁孔５が閉じるので、放出時には押し釦４を指で押し続けなければならず、そのために指で押し釦４を押しながらの消火作業となって消火がしにくいだけでなく，安定した消火剤の放出ができないという問題点がある。
【０００４】
【課題を解決するための手段】
請求項１の発明に係る簡易消火具はかかる問題点を解消するためになされたもので、トリガーの突出レバーを指で握り込めばトリガーがストッパーによりその押し込み位置に止まって弁体を押し続けるので、突出レバーを指で握り続ける必要がなく、指を突出レバーから離してエアゾール缶を握った状態での消火作業となって消火がしやすくなるは勿論，安定した消火剤の放出ができる。
【０００５】
請求項２の発明に係る簡易消火具は安全キャップにより突出レバーごとトリガー格納部材を覆うので、突出レバーの不意の操作やいたずらなどの操作による誤放出が防げる。
【０００６】
【発明の実施の形態】
この発明の一実施の形態を図１〜図３について説明する。図１は主要部の縦断側面図、図２は図１を左からみた図、図３はトリガーの押し込み位置を示す図１と同じ縦断側面図であり、図中前記した従来のものと同一または相当部分には同一符号を付して説明を省略する。
【０００７】
図において、６はエアゾール缶１の口金２に装着したトリガー格納部材、７はトリガー格納部材６の内部にその一端側の係止部７ａにより掛け止めて装入したトリガー、８はトリガー７の他端側に形成した突出レバー、９はトリガー７の中間部に形成した押し釦部、１０はトリガー７に形成されて押し釦部９の消火剤導入口１０ａと消火剤放出口１０ｂとを連通する消火剤通路、１１はトリガー７の側面に突設したストッパー、１２はトリガー格納部材６に設けた凹部で、トリガー７が押し込み位置にきたときにそのストッパー１１が嵌る位置関係にある。なお、図中１３は安全キャップで、トリガー格納部材６に被さってその突出レバー８ごと覆う形状をしている。
【０００８】
常備の状態では、図１，図２に示すように安全キャップ１３を被せておく。こうすることによって、トリガー７の突出レバー８がいたずらにより操作されたり，不意に操作されて、消火剤が誤放出するということがない。
【０００９】
そして、使用時には、安全キャップ１３を外し、トリガー７の突出レバー８を指で握り込むと、トリガー７の押し釦部９が係止部７ａを支点として押し込み移動して、図３に示すように弁体３を押すので、エアゾール缶１内の消火剤が消火剤導入口１０ａから消火剤通路１０を通って消火剤放出口１０ｂから放出される。このとき、トリガー７のストッパー１１が凹部１２に嵌り込んで、トリガー７は押し込み位置に止まる。
【００１０】
このようにトリガー７の突出レバー８を一旦握り込めば、後は突出レバー８から指を離せるので、作業者は自動放出する状態のエアゾール缶１を持って消火作業に専念できて効果的な消火活動が行えるし、そのトリガー７の突出レバー８の操作もただ軽く握り込むだけで操作ができるので老人，婦人でも容易に使用できる。
【００１１】
【発明の効果】
以上のように、請求項１の発明によればトリガーの突出レバーを指で握り込めばトリガーがストッパーによりその押し込み位置に止まって弁体を押し続けるので、突出レバーを指で握り続ける必要がなく、指を突出レバーから離してエアゾール缶を握った状態での消火作業となって消火がしやすくなるは勿論，安定した消火剤の放出ができるという効果が得られる。
【００１２】
また、請求項２の発明によれば安全キャップにより突出レバーごとトリガー格納部材を覆うので、突出レバーの不意の操作やいたずらなどの操作による誤放出が防げるという効果が得られる。
【図面の簡単な説明】
【図１】この発明の一実施の形態を示す主要部の縦断側面図である。
【図２】図１を左からみた図である。
【図３】トリガーの押し込み位置を示す図１と同じ縦断側面図である。
【図４】従来のものを示す主要部の縦断側面図である。
【符号の説明】
１      エアゾール缶
２      口金
３      弁体
６      トリガー格納部材
７      トリガー
７ａ    一端側係止部
８      突出レバー
９      押し釦部
１０    消火剤通路
１０ａ  消火剤導入口
１０ｂ  消火剤放出口
１１    ストッパー
１２    凹部
１３    安全キャップ
【図１】
2004275473.tif 000003
【図２】
2004275473.tif 000004
【図３】
2004275473.tif 000005
【図４】
2004275473.tif 000006
(57)【要約】【課題】老人や身体障害者等が介助者の手を借りず、自力で起立し歩行動作が容易にでき、屋内の畳、敷居、それ等の上に置かれたマット、ジュウタン、等の上を容易に乗り越えることが出来る歩行補助具を提供する。【解決手段】身体を支える支持枠の下部に二対の橇を設置し、橇の接地面には、ゴムを接着しその表面に低摩擦、対摩耗剤をコーテイングしたことにより床面の損傷を軽減し、屋内の歩行を安全に移動することが容易な歩行補助具である。【選択図】          図１
2004275556.tif 000002
【特許請求の範囲】
【請求項１】
身体を支える保持枠の下部に橇を使用した歩行補助具。
【請求項２】
橇の底部を底の平らな舟底形に形成した請求項１に記載の歩行補助具。
【請求項３】
橇の底部、接地面にゴムを接着しその表面に低摩擦、対磨耗剤をコーテイングした請求項１に記載の歩行補助具。
【発明の詳細な説明】
【０００１】
【発明の属する技術分野】
この発明は、体力や脚力の弱い老人等が屋内で自立的に歩行移動する為の歩行補助具に関するものである。
【０００２】
【従来の技術】
従来、老人や身体障害者等が屋内で移動する際には、車椅子や四個の車輪を備えたベビーカータイプの歩行補助具を使用する場合が多いが、何れも車輪を使用しているため床面の畳、板の間、敷居、それに付随するジュウタン、マット等を損傷しやすいという難点があった。車輪を使用した補助具に掴まり立ち上がる時とか、スロープの所を歩行する場合に補助具が使用者の意思と違う方向に動いてしまう危険がある。
【０００３】
屋内の歩行補助設備として壁面や柱等に手摺を備えて、掴まりながら移動する方法もあが足や体力の弱い老人や障害者等は、両手で掴まらなくてはならず歩行が困難である。
【０００４】
四脚で前部と左右部に枠体を設け前部を可動可能にした交互式や、枠体と四脚を一体にした固定式の歩行器がある。何れも支えとしては優れているが、移動するためには歩行器を持ち上げて前に置きながら歩かなくてはならず、ある程度の力が必要となる。
【０００５】
【発明が解決しようとする課題】
本発明は、足腰の弱い老人や障害者が屋内で移動するとき介護者や手摺等に頼らず自立的に、歩行動作が容易にできる歩行補助具を提供することを目的とする。
【０００６】
【課題を解決するための手段】
上記課題を解決するために、身体を支える保持部とその下面に橇を取り付けたことを、要旨とする。従って請求項１に記載の発明によれば、補助具の安定性が良く使用する人の体力と脚力に合った歩行が容易である。
【０００７】
請求項２に記載の発明は、橇の底部を底の平らな舟底形に形成することにより、畳の縁や敷居、マット、ジュウタン等の段差は、乗り上げ通過したり、その上での回転も容易となる。
【０００８】
請求項３に記載の発明は、橇の底部接地面にゴムを接着しその表面に低摩擦、対磨耗剤をコーテイングしたことにより床面の衝撃を緩和し摩擦が少ないため上記の物に対し損傷を軽減することが、可能となる。
【０００９】
【発明の実施の形態】
本発明を具体化した、実施形態を図２〜図６に従って説明する。図２は身体保持部であり図３に示す二対の橇部から構成される。
【００１０】
図４は、図３の矢視Ｘ−Ｘから見た断面図であり、橇部、３の下面にゴム、４を接着しその表面に低摩擦、対磨耗剤、５をコーテイングした図である。
【００１１】
図５は、図３の矢視Ｙ−Ｙから見た断面図であり、橇部の３下面にゴム、４を接着しその表面に低摩擦、対磨耗剤、５をコーテイングした図である。
【００１２】
図６は、図２の身体保持部のパイプ下部８より図３の２のパイプを挿入した部分図で螺子７により固定される。
【００１３】
図１の各所に接合されたナット６は図６の螺子７により固定され、図１に接合される６の箇所の母材には螺子の貫通が可能な穴を開けることとする。
【００１４】
前記、橇の接地面にコーテイングされている図４〜図５の低摩擦、対磨耗剤、５は常温で塗布が可能な四フッ化エチレン樹脂（ＰＴＦＥ）乾性皮膜剤から構成されている。主な用途としては、各種擢動部品（金属、木、プラスチック、ゴム、ガラス）。及び潤滑性を必要とする箇所＜特徴＞・耐熱性に優れている。・優れた潤滑性。・優れた表面密着生。・皮膜は固く対磨耗性である。・室温で乾燥できる。・使用法は簡単。・皮膜は薄く半透明。＜皮膜の特性＞：半透明。製摩擦係数：０．０６〜０．０９。推奨膜厚：５〜１８μｍ。連続使用温度：８２℃。間欠使用温度：１１６℃。耐薬品性：良好。以上の特徴や特性を有するファインケミカルジャパン株式会社。製品の商品名（ＦＣ−１０２ＮＥＷ  ＴＦＥコート）となっている。この四フッ化エチレン樹脂は、塗布後２時間を、常温で完全に乾燥する。軽く加熱（６６℃以下）すると１５分位で乾燥する。
【００１５】
【実施例】
以下、本発明の一実施例を説明する。図２と図３に分離されている。１のパイプ、８の箇所から２のパイプを挿入して図６に示す７の螺子で固定して図１の完成図となる。
【００１６】
図１に示すように８の位置は、使用者の身長や使い易さに合わせて固定する。
【００１７】
図７に示すように使用者は身体保持部の中に立ち身体を支えながら、補助具を押しながら歩行する。
【００１８】
【発明の効果】
以上説明したように請求項１によれば、極めて安定性がよく補助具に掴まり、立ち上がることが容易であり使用者の体力や脚力に合わせ、安全に歩行することが可能であり使用者の身体を中心にして任意の方向に回転が容易であり、狭い屋内での使い易さを要旨とする。
【図面の簡単な説明】
【図１】本発明の具体化した斜視図である。
【図２】本発明の身体保持部の斜視図である。
【図３】本発明の橇部の斜視図である。
【図４】図３の矢視Ｘ−Ｘより見た断面図である。
【図５】図３の矢視Ｙ−Ｙより見た断面図である。
【図６】図２の１と図３の２をジョイントした詳細図である。
【図７】本発明の補助具を使用している状態の上視図である。
【図８】段差を乗り越える状態を示した橇の断面図である。
【符号の説明】
１        保持枠
２        支柱
３        橇
４        ゴム
５        低摩擦、対磨耗剤
６        ナット
７        螺子
８        接地面
【図１】
2004275556.tif 000003
【図２】
2004275556.tif 000004
【図３】
2004275556.tif 000005
【図４】
2004275556.tif 000006
【図５】
2004275556.tif 000007
【図６】
2004275556.tif 000008
【図７】
2004275556.tif 000009
【図８】
2004275556.tif 000010
(57)【要約】【課題】本発明は、ハンガーに洗濯物などの衣類を吊下げたときに、衣類自体を最大限に広げ、衣類内側への空気の流通を自在として乾燥効果の高めるものを提供しようとするものである。【解決手段】ハンガー本体と該ハンガー本体の腕部内に収まる大きさの補助ハンガーとよりなり、ハンガー本体の中心部には、補助ハンガーに固定された掛け杆が一定距離上下動し且回転自在に挿通する挿通穴を設けると共に、ハンガー本体と補助ハンガーの互いの腕部は回動させて平行状、十字型状態に止着自在としたハンガー。【選択図】  図１
2004275560.tif 000002
【特許請求の範囲】
【請求項１】
ハンガー本体と該ハンガー本体の腕部内に収まる大きさの補助ハンガーとよりなり、ハンガー本体の中心部には、補助ハンガーに固定された掛け杆が一定距離上下動し且回転自在に挿通する挿通穴を設けると共に、ハンガー本体と補助ハンガーの互いの腕部は回動させて平行状、十字型状態に止着自在としたハンガー。
【発明の詳細な説明】
【０００１】
【産業上の利用分野】
本発明は衣類を吊下げるハンガーの改良に関する。
【０００２】
【従来技術及びその欠点】
従来ハンガーは衣類を引掛ける左右に延びる腕部の中心に吊下げ杆を設けたものが殆どである。然しこの種のハンガーに上シャツ等を吊下げ、乾燥させるときは後身頃と前身頃がくっついてしまったり、或はわずかな空間しかない為空気の流通が悪く洗濯物の乾燥効果が悪い。
【０００３】
【発明が解決しようとする課題】
本発明は以上のような従来ハンガーの欠点を解決しようとするもので、ハンガーに洗濯物などの衣類を吊下げたときに、衣類自体を最大限に広げ、衣類内側への空気の流通を自在として乾燥効果の高めるものを提供しようとするものである。
【０００４】
【課題を解決するための手段】
本発明は、ハンガー本体と該ハンガー本体の腕部内に収まる大きさの補助ハンガーとよりなり、ハンガー本体の中心部には、補助ハンガーに固定された掛け杆が一定距離上下動し且回転自在に挿通する挿通穴を設けると共に、ハンガー本体と補助ハンガーの互いの腕部は回動させて平行状、十字型状態に止着自在としたものである。
【０００５】
本発明を図示の実施例により詳記すると、ハンガー本体１と該ハンガー本体１の腕部２内に収まる大きさの補助ハンガー３とよりなり、ハンガー本体１の中心部４には、補助ハンガー３に固定された掛け杆５が一定距離上下動し且回転自在に挿通する挿通穴６を設けると共に挿通穴６の下端部に下向きの十字方向の凹部７を設けて補助ハンガー３の腕部８を嵌合自在として、ハンガー本体１と補助ハンガー３の互いの腕部２、８は平行状或は十字型状態に止着自在としてある。
【０００６】
図中９はストッパーで、掛け杆５のより以上の落下を防止するものであり、このストッパー９と相通穴６の間にバネ１０を介在させておき、使用時にバネ１０に抗して掛け杆５を引き下げるようにしても良い。
【０００７】
腕部２、８の止着手段として凹部７と腕部８を嵌合するようにしたが、その他の汎用手段でもよい。
【０００８】
【作用】
本発明は以上の如く具現されるもので、これを使用するには、腕部２，８が揃った状態で洗濯物を掛け、掛け杆５を図の一点鎖線に示すように下げて腕部８と凹部７の嵌合、止着を解き略９０度回転させ、他の凹部７に嵌合、止着して腕部２，８を十字状態にする。このようにすることにより洗濯物の前後の身頃は離れて内部が空洞状態となる。
【０００９】
【効果】
本発明は叙上のように、ハンガー本体と該ハンガー本体の腕部内に収まる大きさの補助ハンガーとよりなり、ハンガー本体の中心部には、補助ハンガーに固定された掛け杆が一定距離上下動し且回転自在に挿通する挿通穴を設けると共に、ハンガー本体と補助ハンガーの互いの腕部は回動させて平行状、十字型状態に止着自在としたので、衣類の乾燥においては前後の身頃は充分広げた状態で干されるので空気が内外から当てられるので、乾燥が速く、且充分に乾燥させることができ、又互いの腕部を図のように平行状にすれば通常のハンガーとしても使用することができる。
【図面の簡単な説明】
【図１】本発明ハンガーの正面説明図。
【符号の説明】
１はハンガー本体
２は腕部
３は補助ハンガー
４は中心部
５は掛け杆
６は挿通穴
７は凹部
８は腕部
９はストッパー
１０はバネ
【図１】
2004275560.tif 000003
(57)【要約】【課題】抗菌、防カビ性に優れ、付着した化粧料残渣によるカビの発生や、腐敗を防止することが出来ると共に、廃棄に際して環境汚染を生ずることなく安全に廃棄することができる化粧用パフを提供せんとするものである。【解決手段】発泡体からなる芯材の表面にポリ乳酸繊維を静電植毛したことを特徴とする。【選択図】  図１
2004275511.tif 000002
【特許請求の範囲】
【請求項１】
発泡体からなる芯材の表面にポリ乳酸繊維を静電植毛したことを特徴とする化粧用具。
【発明の詳細な説明】
【０００１】
【発明の属する分野】
この発明は、繊維を使用した化粧用具に関する。
【０００２】
【従来の技術】
従来、繊維を使用した化粧用具、例えば化粧用パフ、化粧用チップ等は公知であり、広く使用されている。従来公知の化粧用パフとしては、スポンジに１ｍｍ程度の短繊維を静電植毛したフロッキーパフ、５〜１０ｍｍくらいの長繊維を織り込んだ布を縫製した縫製パフ等が知られており、繊維としてはナイロン、ポリエステル、アクリル等の合成繊維や綿などの天然繊維が用いられている。合成繊維は、耐久性や耐水性等の物性は優れているが、原料が石油であり資源の有効利用或いは廃棄の際の環境汚染の点において問題を有している。これに対して綿などの天然繊維は、耐洗濯性が劣っており、耐久性に問題があった。又、これらの繊維を用いた化粧用パフは、繊維に化粧料の残渣が付着して、カビが生えたり、細菌が付着し腐敗してくるおそれがあった。
【０００３】
【特許文献１】
特開平１０−２７８１４９号公報
【特許文献２】
特開平１０−２１１０１８号公報
【０００４】
【発明が解決しようとする課題】
この発明は、抗菌、防カビ性に優れ、付着した化粧料残渣によるカビの発生や、腐敗を防止することが出来ると共に、廃棄に際して環境汚染を生ずることなく安全に廃棄することができる化粧用パフを提供せんとするものである。
【０００５】
【課題を解決するための手段】
上記課題を解決するためにこの発明が採った手段は、発泡体からなる芯材の表面にポリ乳酸繊維を静電植毛したことを特徴とする。
【０００６】
【発明の実施の形態】
この発明の好ましい実施の形態を、以下に詳細に説明する。この発明の化粧用具は、ウレタン等の発泡体からなる中芯の表面にポリ乳酸繊維を静電植毛したことを特徴とする。ポリ乳酸繊維は、トウモロコシの実、サツマイモ、ジャガイモ、タピオカ等の澱粉を乳酸菌発酵させた乳酸から作られる非石油系合成繊維であって、ポリエステルと同様な物性・加工性を有した生分解性繊維である。ポリ乳酸繊維は、抗菌、防カビ性を有しており、使用により繊維に化粧残渣が付着しても、カビの発生や腐敗を防止することが出来る。又、ポリ乳酸繊維は、コンポスト化（堆肥）等の高温、多湿環境におくことにより、迅速に形態的崩壊を生じ最終的に微生物により資化・代謝されて炭酸ガスと水に分解されるため、廃棄時の環境汚染を回避出来る。
【０００７】
ポリ乳酸繊維は、カネボウ繊維株式会社の「ラクトロン（商標）」、ユニチカ株式会社の「テラマック（商標）」、クラレ株式会社の「プラスターチ（商標）」等が知られており、市場で容易に入手することが出来る。繊維は、ウレタン、スポンジ等の発泡体からなる軟質若しくは硬質の芯材に静電植毛してパフ、チップ等の化粧用具に形成される。芯材は、発泡体に限られるものではなく、ポリ乳酸繊維を静電植毛することが出来、化粧用具の形態に形成できるものであれば、特に限定されない。
【０００８】
繊維は、１ｍｍ位の短繊維が好ましいが、限定されない。繊維の断面は、図１に示される十字状、三角形状、パイプ形状その他いずれの形状であっても良い。又、レーヨン、ポリエステル等の芯をポリ乳酸繊維で被覆した多層構造の繊維であっても良い。又、綿、羊毛等の天然繊維を混毛したものであっても良い。
【０００９】
【実施例】
図２，３を参照して、化粧用パフ（１）は直径５７ｍｍ、厚さ４．５ｍｍの円板形状を有し、中芯（２）は厚さ６ｍｍ、直径５５ｍｍのポリウレタンエステルフォームを厚さ３．５ｍｍに圧縮し、表面にアクリル系エマルジョン型接着剤（３）を塗布した後、長さ１ｍｍのポリ乳酸繊維（４）を静電植毛したものである。ポリ乳酸繊維は、図１の十字形断面を有する前記クラレ社製の繊維を使用した。得られた化粧用パフは、表面に付着した化粧料残渣にカビが生ずることも、腐敗することもなかった。又、廃棄に際しては、コンポスト化により容易に分解し、環境汚染をもたらすこともなかった。接着剤（３）は、アクリル系エマルジョン型接着剤に限られるものではなく、ポリ乳酸系のものを使用しても良いことは勿論である。
【００１０】
以上においては、１ｍｍ程度の短繊維を芯材に静電植毛したパイル状の化粧用具について説明したが、５〜１０ｍｍ程度の長い繊維を織り込んで布を縫製してなる縫製パフ等の化粧用具とすることも可能である。
【００１１】
【発明の効果】
この発明によれば、付着した化粧料残渣の腐敗やカビ発生を防止できる共に、環境を汚染することなく廃棄することが可能である。
【図面の簡単な説明】
【図１】ポリ乳酸繊維の種々の断面形状を示す図
【図２】この発明にかかる化粧用パフの平面図
【図３】同縦断面図
【符号の説明】
（１）化粧用パフ
（２）中芯
（３）接着剤
（４）ポリ乳酸繊維
【図１】
2004275511.tif 000003
【図２】
2004275511.tif 000004
【図３】
2004275511.tif 000005
(57)【要約】【課  題】セラミックビーズ入りスパッツを身体に装着することで、腰尖関節部や仙腸関節部にフィットし、腰部の安定補強ができ、又、血流が良くなる等のスパッツと健康ベルトを一体化した、健康増進を促進するセラミックビーズ入りスパッツを提供すること。【解決手段】スパッツを身体に装着したとき、腰尖関節部等がカバーできるよう幅広の形状になったゴムベルト部の内側に数ケ所のポケットを設け、温熱効果を発するリングが装着できるような形状のセラミックビーズ入りスパッツ。【選択図】    図１
2004275677.tif 000002
【特許請求の範囲】
【請求項１】
スパッツの腰部の一部にセラミックビーズ入りリングを装着して、スパッツと健康ベルトを一体化したことを特徴とする、セラミックビーズ入りスパッツ。
【請求項２】
スパッツのゴムベルト部は、腰尖関節部がカバーできる形状をなし、その内側にセラミックビーズ入りリングが収納できるポケットを設けてあることを特徴とする、セラミックビーズ入りスパッツ。
【発明の詳細な説明】
【０００１】
【発明の属する技術分野】
本発明は、セラミックビーズ入りスパッツを身体に装着することにより、セラミックの特性である温熱効果を発し、あわせて健康ベルトの機能をも有する、健康増進に関するものである。
【０００２】
【従来の技術】
従来、セラミックの特性である温熱効果を活用したものとして、セラミック繊維を使用した肌着や、セラミック繊維加工した健康ベルト等が知られている。
【０００３】
【発明が解決しようとする課題】
従来の技術で述べたもののうち、前者においては使用目的が肌着であるため、腰尖関節部等の骨盤を補強するという健康ベルト的な機能は有していないという問題点があった。
【０００４】
また、後者においては、健康ベルト等をあらためて装着するという手間と腰部全体にまきつけるという違和感やベルトを装着することによる外見上の不具合等の問題点を有していた。
【０００５】
本発明は従来の技術の有するこのような問題点に鑑みてなされたものであり、スパッツと健康ベルトを一体化した機能を有するセラミックビーズ入りスパッツは無かった。その一体化した機能を得ることを目的としており、セラミックの特性である温熱効果を発するセラミックビーズ入りリングをスパッツに装着させることにより、健康ベルトの機能をも有するセラミックビーズ入りスパッツを提供することを目的としている。
【０００６】
【課題を解決するための手段】
上記目的を達成するために、本発明のセラミックビーズ入りスパッツにおいては、スパッツのゴムベルト部分が腰尖関節部をカバーできる幅広の形状をなし、また、ゴムベルト部内側の左右骨盤関節部（仙腸関節）と腰尖関節部にポケットを設けたものである。
【０００７】
そして、上記スパッツのポケット部に、セラミックビーズ入りリングを装着することによる温熱効果で、上記関節部の安定を増進さす。
【０００８】
また、腰尖関節部等をカバーしている幅広のゴムベルト部でセラミックビーズ入りリングを締め付けることにより、その部位を固定し、腰部の補強を維持するように働く。
【０００９】
【発明の実施の形態】
発明の実施の形態を実施例にもとづき図面を参照して説明する。
図１〜図３において
スパッツのゴムベルト部の形状は腰尖関節部をカバーできるように１５ｃｍ程度の最大幅を有するものとする。
【００１０】
スパッツ内部のポケット部は腰尖関節部に１ケ所、骨盤関節部（仙腸関節部）に２ケ所設けられてある。
【００１１】
ポケット部に入れる温熱効果を発するセラミックビーズ入りリングは外径５ｍｍ程度のシリコンチューブで作製してあり、形状は自由に変えることができるものである。
【００１２】
リングの大きさは大小さまざまであり、スパッツのサイズに合わせて簡単にポケット部に出し入れできる大きさとする。
【００１３】
【考案の効果】
本発明は、以上説明したように構成されているので、以下に記載されるような効果を奏する。
【００１４】
セラミックビーズ入りスパッツを装着することで、その温熱効果により骨盤関節部の血流等を良くし、もって健康増進を促進する。
【００１５】
そして、スパッツのゴムベルト部は骨盤関節部がカバーできる幅広の形状であるため、セラミックビーズ入りリングをベルト部で締め付けることにより、その関節部にフィットし固定するため、腰部の安定と補強の働きがある。
【図面の簡単な説明】
【図１】スパッツ全体の斜視図である。
【図２】スパッツの後面図である。
【図３】セラミックビーズ入りリングの図である。
【符号の説明】
（１）  ゴムベルト部
（２）  ポケット
（３）  セラミックビーズ入りリング
（４）  スパッツ本体
【図１】
2004275677.tif 000003
【図２】
2004275677.tif 000004
【図３】
2004275677.tif 000005
(57)【要約】［課題］  電気かみそりでそった毛くずが外刃から飛び散らず、電気かみそりの刃や内部の毛くずのそうじも少なくて済み、毛くずを簡単にすてる事ができる電気かみそり。［解決手段］  電気かみそりの内刃（３）の奥に回転羽根（４）を付け、毛掃き出し口（６）から毛くずを下の毛収納箱（８）に入れる様にしたものである。又、空気戻し口（７）から内刃収納部（５）に空気をもどす事により、より多くの毛くずを毛収納箱（８）に入れる事が出来た。【選択図】  図１
2004275680.tif 000002
【特許請求の範囲】
【請求項１】
電気かみそり本体（１）の外刃（２）と内刃（３）の奥に回転羽根（４）を付け，内刃収納部（５）の下部に毛掃き出し口（６）と空気戻し口（７）の穴をあける、毛掃き出し口（６）と空気戻し口（７）の下部に毛収納箱（８）を付ける。毛収納箱（８）には毛掃き出し口（６）と空気戻し口（７）の間に、仕切り（９）を箱の途中まで付けた、毛収納箱付電気かみそり。
【発明の詳細な説明】
【０００１】
［発明の属する技術分野］
本発明は、毛くずが入った収納箱を簡単にはずして毛くずを捨てられる様にした、回転式電気かみそりに関するものである。
【０００２】
［従来の技術］
これまでの回転式電気かみそりは，本体（１）に内刃収納部（５）のくぼみを作り、内刃（３）をモーターの回転軸（１０）に差し込み、内刃（３）に外刃（２）をかぶせる様にしてできた物で、毛くずを内刃収納部（５）の狭いところに溜めていた。
【０００３】
［発明が解決しようとする課題］
従来の電気かみそりは、毛くずを内刃収納部（５）の狭いところに溜めていたため、顔を２〜３回剃ると、外刃（２）の網目から毛くずが外に飛び散り、顔やワイシャツなどにくっつき黒くなる欠点があり、顔を１〜２回剃るごとに、外刃（２）と内刃（３）と内刃収納部（５）と３ヵ所もそうじをしなくてはならなかった。毛収納箱（８）を簡単にはずして毛くずをすてるだけで毛くずが外刃（２）から飛び散らず、外刃（２）や内刃（３）などのそうじが少なくてすむ様にしたものである。
【０００４】
［課題を解決するための手段］
上記目的を達成するために、本発明の電気かみそりの内刃（３）の奥に回転羽根（４）を付け、その下部に毛掃き出し口（６）と空気戻し口（７）の穴をあけその下部に簡単にはずせる、毛収納箱（８）を付ける。その毛収納箱（８）には毛掃き出し口（６）と空気戻し口（７）の間に、仕切り（９）を箱の途中まで付けたものである。
【０００５】
［発明の実施の形態］
本発明の実施の形態を図面を参照して説明する。電気かみそりの外刃（２）と内刃（３）で毛を剃り、奥の回転羽根（４）が内刃（３）と同時に回る事により回転羽根（４）の遠心力と風圧により、毛の掃き出し口（６）から毛収納箱（８）に入れるものであるが、毛くずをより多く毛収納箱（８）に入れる為に、空気戻し口（７）を付け、毛掃き出し口（６）から出た空気を間仕切り（９）の下部から内刃収納部（５）に戻す事により、毛収納箱（８）には毛掃き出し口（６）に向かって吸引力が出来、毛掃き出し口（６）からより多くの毛くずを毛収納箱（８）に入れる事が出来る。
【０００６】
［発明の効果］
以上のような動作により、外刃（２）と内刃（３）と内刃収納部（５）には毛くずが、ほとんど無くなるので、外刃（２）の網目から毛くずが外に飛び散る事がなくなる。又、毛収納箱（８）を簡単にはずして、毛くずを捨てるだけで良く刃の掃除も少なくて済むようになる。
【図面の簡単な説明】
【図１】本発明の電気かみそりの分解斜視図
【図２】本発明の電気かみそりの正面図
【符号の説明】
１  電気かみそり本体
２  外刃（網状）
３  内刃（回転刃）
４  回転羽根
５  内刃収納部
６  毛掃き出し口
７  空気戻し口
８  毛収納箱
９  仕切り
１０  回転じく
【図１】
2004275680.tif 000003
【図２】
2004275680.tif 000004
(57)【要約】      （修正有）【課題】靴底の土踏まずにくっ付いた雪を歩く人の体重で、歩いているうちに取れるようにして、アイスバーンの曲面に靴底が噛み合う様に、馴染むようにする事。【解決手段】充分な強度と弾力の有る適切な大きさの円雌状螺旋スプリングを靴底の土踏まずと踵の間に強固に取り付け僅かに（３〜５ｍｍ）位スプリングを出した靴を履いた人が歩く事によりスプリングを踏んだり、路面から離れたりするスプリングの伸び縮みする弾力で自然と雪が取れる様にして、歩きながら踏んだ時にスプリングが曲がりながら僅かに伸びて雪を噛み転倒を防ぐようにする事である。【選択図】図１３
2004275676.tif 000002
【特許請求の範囲】
【請求項１】
円錐状螺旋スプリングを靴の底に鋲の様に取り付け雪道のアイスバーンにおける滑り止めに使う事。
【請求項２】
筒状螺旋スプリングを靴の底に鋲の様に取り付け雪道のアイスバーンにおける滑り止めに使う事。
【発明の詳細な説明】
【０００１】
【発明の属する技術分野】
従来の雪道のアイスバーンにおける滑り止めを補いスリップによる転倒事故を防ぐ為に開発。
【０００２】
【従来の技術】従来の滑り止めは、セラミックやガラス繊維等を靴底のゴムに混ぜて造り、或いは鋲（ピン）を植えて、そのゴム底に滑りにくい模様を付けたものが殆どであるが、雪が靴の土踏まずの所にくっ付き滑りやすく、アイスバーンの曲面に靴底が合わない為なお更、滑りやすく危険であり大怪我をし易いのです。
【０００３】
【発明が解決しようとする課題】
靴底の土踏まずにくっ付いた雪を歩く人の体重で、歩いているうちに取れるようにして、アイスバーンの曲面に靴底が噛み合う様に、馴染むようにする事。
【０００４】
【課題を解決するための手段】
充分な強度と弾力のある適切な大きさの円錐状螺旋スプリングを靴底の土踏まずと踵の間に強固に取り付け僅かに（３〜５ｍｍ）靴底よりスプリングを出した靴を履いた人が歩く事によりスプリングを踏んだり、路面から離れたりするスプリングの伸び縮みする弾力で自然と雪が取れる様にして且つ歩きながら踏んだ時に、アイスバーンの曲面にスプリングが僅かに伸びて雪を噛み転倒を防ぐようにする事。
【０００５】
【発明の実施の形態】
雪道用の靴や長靴の底に取り付け雪道を歩く事、特に冬の屋外の作業に向いている。
【０００６】
【実施例】ガードマンや警察官等の冬道のアイスバーンに於ける作業。
【０００７】
【発明の効果】
冬道のアイスバーンに於ける作業をする人達を、スリップによる転倒事故から守る事が出来る。
【図面の簡単な説明】
【図１】滑り止めリング平面図。
【図２】滑り止めリング側面図。
【図３】円錐状螺旋リングに滑り止めリングを取り付けた側面図。
【図４】円錐状螺旋スプリング取り付け板側面図。
【図５】円錐状螺旋スプリング取り付け板平面図。
【図６】円錐状螺旋スプリングに滑り止めリングを取り付けて、取りつけ板に取り付けた平面図。
【図７】円錐状螺旋スプリングに滑り止めリングを取り付けて、取り付け板に取り付けた側面図。
【図８】スプリングボックス平面図。
【図９】スプリングボックス前面斜視図。
【図１０】スプリングボックス背面斜視図。
【図１１】スプリングボックスに円錐状螺旋スプリング取り付け前面図。
【図１２】スプリングボックスに円錐状螺旋スプリング取り付け平面図。
【図１３】靴底に出来上がりスプリングボックスを取り付けた斜視図。
【図１４】靴底に出来上がりスプリングボックスを取り付けた平面図。
【図１５】靴底に出来上がりスプリングボックスを取り付けた側面図。
【符号の説明】
１  滑り止めリング。
２  円錐状螺旋スプリング。
３  円錐状螺旋スプリング取り付け板。
４  ボールト穴。
５  ボールト。
６  スプリングボックス。
７  ビス穴。
８  ビス。
９  靴底。
１０  靴側面。
１１  スプリングボックス取り付け断面。
【図１】
2004275676.tif 000003
【図２】
2004275676.tif 000004
【図３】
2004275676.tif 000005
【図４】
2004275676.tif 000006
【図５】
2004275676.tif 000007
【図６】
2004275676.tif 000008
【図７】
2004275676.tif 000009
【図８】
2004275676.tif 000010
【図９】
2004275676.tif 000011
【図１０】
2004275676.tif 000012
【図１１】
2004275676.tif 000013
【図１２】
2004275676.tif 000014
【図１３】
2004275676.tif 000015
【図１４】
2004275676.tif 000016
【図１５】
2004275676.tif 000017
(57)【要約】【課題】泡立ちがよく肌にやさしく、乳幼児や女性の敏感肌に適応し、又湾曲状のブラシ面が体の線に添い洗浄し易く、柄を設けることで片手で操作でき、内曲り面でカカトの角質も洗うことができる重宝な機能を有した洗浄用スポンジブラシを提供することを目的とする。【解決の手段】スポンジ（１）に碁盤目状の切り込み（２）を入れブラシ状にする。湾曲に形成されたシャモジ型基盤（４）の外曲り面（５）と、内曲り面（６）の表面にブツブツ状の突起（７）を施す。前記スポンジ（１）に貼り合わさったナイロン不織布（３）を固定穴（８）を介して前記外曲り面（５）に接着固定する、スポンジブラシを操作する柄（９）、引っ掛け穴（１０）を設けたことを特徴とする。【選択図】  図１
2004275687.tif 000002
【特許請求の範囲】
【請求項１】
スポンジ（１）に碁盤目状の切り込み（２）を入れ、スポンジに貼り合わされたナイロン不織布（３）と湾曲に形成されたシャモジ型基盤（４）と湾曲に形成されたシャモジ型基盤の外曲り面（５）と内曲り面（６）にブツブツ状の突起（７）を施し外曲り面（５）とナイロン不織布（３）を接合する固定穴（８）で固定する。柄（９）引っ掛け穴（１０）を設けた構成でなる洗浄用スポンジブラシ。
【発明の詳細な説明】
【０００１】
【発明の属する技術分野】
本発明は入浴時における体を洗浄する道具としての洗浄用スポンジブラシに関するものである。
【０００２】
【従来の技術】
従来よりスポンジを使った洗浄用としてのボディスポンジはあったが、スポンジをナイロンネットで覆っていた。又ボディスポンジは、手の届かぬ背中などを洗うのにスポンジに付けてある紐を持って両手で操作していた。
【０００３】
【発明が解決しようとする課題】
これは次のような欠点があった。
イ．ボディスポンジはナイロンネットで覆っているためネットの摩擦で乳幼児や女性の敏感肌の人には同じ箇所を長時間強くこすり過ぎると、肌を傷めたり色素沈着を起こす恐れがあった。
ロ．背中など手の届かない箇所はスポンジに付けてある紐を両手で左右に操作して洗っているが片手に支障のある人は洗えないという欠点があった。
本発明はこれらの欠点を解決するためになされたものである。
【０００４】
【課題を解決するための手段】
上記従来の課題を解決するために、本発明の洗浄用スポンジブラシは、スポンジ（１）に碁盤目状の切り込み（２）を入れ、スポンジに貼り合わさったナイロン不織布（３）と湾曲に形成されたシャモジ型基盤（４）の外曲り面（５）と内曲り面（６）の表面にブツブツ状の突起（７）を施し、外曲り面（５）に、前記ナイロン不織布（３）を固定穴（８）を介して接着固定する。スポンジブラシを操作する柄（９）引っ掛け穴（１０）を設けた。本発明は以上の構成よりなる洗浄用スポンジブラシである。
【０００５】
【発明の実施の形態】
以下、本発明の実施の形態を説明する。
（イ）スポンジ（１）に碁盤目状の切り込み（２）を入れブラシ状にする。
（ロ）湾曲に形成されたシャモジ型基盤（４）の外曲り面（５）と内曲り面（６）の表面にブツブツ状の突起（７）を施す。
（ハ）前記スポンジ（１）に貼り合わさったナイロン不織布（３）と前記シャモジ型基盤（４）の外曲り面（５）にナイロン不織布（３）を固定穴（８）を介して接着固定する。
（ニ）スポンジブラシの操作に持手の柄（９）と引っ掛け穴（１０）を設けた洗浄用スポンジブラシであり、本発明は以上の構成よりなっている。
この構成により以下の作用を有する。
（１）スポンジに碁盤目状の切り込みを入れることにより、切り込みされたスポンジ片はブラシ状となり、スポンジ面が増え、腰がソフトになって泡立ちもよく、乳幼児や女性の敏感な肌にとって触りがやさしく快適に作用する。
（２）湾曲したシャモジ型基盤の外曲り面にスポンジを取り付けたことにより、スポンジブラシが湾曲状に広がり、ブラシ面が体の凹凸に添って洗うことができ、洗浄が楽になった。
（３）基盤に設けた柄は片手でブラシを操作でき、片手に障害のある人でも充分その用を足すことができるという利点がある。
（４）内曲り面は、カカトの角質の洗浄に使用することが用途として用いられる利便性がある。
（５）スポンジブラシは、掃除具としての用途も考えられる。例えば障子の細い桟とか空調器具のパネルや、フィルターなどのすみっこの部分の今まで除去しにくかった汚れが容易に取れる。このように洗浄用スポンジブラシは、掃除具としても最適である。
（６）外曲り面の表面に施したブツブツ状の突起は、不織布の細い糸状の繊維と絡み基盤にしっかり固定して、洗う際、石鹸分が基盤と不織布のすき間に浸透してもスポンジブラシは基盤に密着し、ずれたりしない特徴がある。
（７）スポンジブラシは泡立ちもよいが石鹸のきれもよく、水につけて押さえれば容易に洗浄垢がとれ、清潔さを保つことができる。
【０００６】
【発明の効果】
本発明は泡立ちがよくソフトで肌にやさしく、乳幼児や女性の敏感な肌に適し、ブラシの操作も容易であり、湾曲した基盤の外曲り面のスポンジブラシが肌の洗浄と、内曲り面がカカトの角質洗いと、両面使用できる機能を有した重宝な洗浄用スポンジブラシを提供することができる。
【図面の簡単な説明】
【図１】実施の形態における本発明の斜視図
【図２】本発明のスポンジに碁盤目状の切り込みを入れた平面図
【図３】本発明のスポンジに碁盤目状の切り込みを入れた側面図
【図４】本発明のシャモジ型基盤のブツブツ状の突起を示す平面図
【図５】本発明のシャモジ型基盤の湾曲形成を示す側面図
【符号の説明】
１  スポンジ
２  碁盤目状切り込み
３  ナイロン不織布
４  湾曲に形成されたシャモジ型基盤
５  外曲り面
６  内曲り面
７  基盤の表面のブツブツ状突起
８  固定穴
９  柄
１０  引っ掛け穴
【図１】
2004275687.tif 000003
【図２】
2004275687.tif 000004
【図３】
2004275687.tif 000005
【図４】
2004275687.tif 000006
【図５】
2004275687.tif 000007
(57)【要約】【課題】火災に巻き込まれたとき、有毒ガスを吸い込まないために、ビニール袋内にきれいな空気を取り込んで、酸素を確保して避難できる防毒ビニール袋マスクを提供する。【解決手段】透明アイマスク（１）とビニール袋マスク（２）を面形にして、それらの縁に板状の輪ゴム（３）を設けて縁取りし、内側に両面テープ（４）を設けたことを特徴とする。【選択図】    図２
2004275689.tif 000002
【特許請求の範囲】
【請求項１】
（イ）透明ビニールアイマスク（１）と、ビニール袋マスク（２）を鼻柱の位置で付着させて面形にする。
（ロ）透明ビニールアイマスク（１）の縁と、ビニール袋マスク（２）の口の縁周囲に板状の輪ゴム（３）を設けて縁取り、その内側に両面テープ（４）を設ける。
以上のごとく構成された携帯防毒ビニール袋マスクである。
【発明の詳細な説明】
【０００１】
【発明の属する技術分野】
この発明は、火災で発生する有毒ガスから身を守るために、一時的に対応する携帯防毒ビニール袋マスクに関するものである。
【０００２】
【従来の技術】
従来、酸素ボンベ突き防毒マスクや作業用防毒マスク、また腰まですっぽりかぶるものもあった。
【０００３】
【発明が解決しようとする課題】
それらは次のような欠点があった。
（イ）酸素ボンベつき防毒マスクは、携帯に不向きである。
（ロ）作業用防毒マスクは、男性サイズのために小顔には隙間から有毒ガスが入り込む恐れがあるという。
（ハ）腰まですっぽりはぶるものは、吐く息で内部がくもったり、両手の自由が奪われて避難歩行に危険が増してしまう。
本発明は、以上のような欠点をなくすためになされたものである。
【０００４】
【課題を解決するための手段】
火災時に煙から目を守り、視界が確保できる透明ビニールのアイマスクと、酸素を確保するビニールの呼吸袋を付着して面形にしたものに、粘着テープを設ける。
本発明は、以上の構成よりなる携帯防毒ビニール袋マスクである。
【０００５】
【発明の実施の形態】
以下、本発明の実施の形態について説明する。
透明ビニールアイマスク（１）と、ビニール袋マスク（２）を鼻柱の位置で付着させて面形にする。アイマスクの縁と、ビニール袋口の縁の周囲に柔軟な板状の輪ゴム（３）を設けて縁取り、内側に両面テープ（４）を施す。
さらに、額の位置を設けて、薄型で軽量の照明具を取り付けてもよい。
本発明は、以上のような構成でこれを使用するときは、きれいな空気をビニール袋内に取り込み、マスク裏に施してあるテープのカバーを剥がして、目と鼻口を覆いながら、顔に直接貼り付け、密着させて使用する。
【０００６】
【発明の効果】
携帯防毒ビニール袋マスクは、小さく折りたたんでバックやポケットに防備具として常時携帯できる。
火災から発生する一酸化炭素やシアンガスが蔓延しない前に、いち早く装着することで、酸素が確保されるので生命が守られ、速やかに避難ができる。
一呼吸の空気量、酸素必要量、避難時間等を計算した上で携帯用の袋サイズは決まるが、ビニールの特性を活かし、避難歩行の妨げにならない程度の大きなサイズにすると、酸素確保時間を長く得られので、高層ビルでの職場などに常備して置くと役立つ。
【図面の簡単な説明】
【図１】本発明のマスクの内側から見た正面図である。
【図２】本発明の使用している時の右側面図である。
【符号の説明】
１  透明ビニールアイマスク
２  ビニール袋マスク
３  板状の輪ゴム
４  両面テープ
【図１】
2004275689.tif 000003
【図２】
2004275689.tif 000004
(57)【要約】【課題】睡眠時無呼吸症候群は自覚することが困難で今まで症状を検知する方法が無かった。【解決手段】これを実現するために本発明は、メガネフレーム状の枠組みから鼻の先に伸びた風速センサーで呼吸の有無を検知しその信号を送信機で付属の記録計に送る。使用電力はフレーム内臓の小型電池による。また記録計はその信号から一定秒数以上呼吸の無かった時刻を記録し利用者は起きた時にそれを確認することができる。【選択図】              図１
2004275690.tif 000002
【特許請求の範囲】
【請求項１】
風速センサーによる呼吸の有無の検知方法。
【請求項２】
メガネフレーム状の睡眠時無呼吸症検知器。
【請求項３】
一定秒数以上呼吸の無かった時刻を記録する記録計。
【発明の詳細な説明】
【０００１】
本発明は、自覚症状が分かりにくい睡眠時無呼吸症候群を自分で検知することを目的としている。
【０００２】
睡眠時無呼吸症候群は自覚することが困難で今まで症状を検知する方法が無かった。
【０００３】
本発明は、睡眠時の呼吸の有無を検知しそれを記録することで本人が自分の睡眠時の呼吸を確認できる。
【０００４】
これを実現するために本発明は、メガネフレーム状の枠組みから鼻の先に伸びた風速センサーで呼吸の有無を検知しその信号を送信機で付属の記録計に送る。使用電力はフレーム内臓の小型電池による。
【０００５】
記録計はその信号から一定秒数以上呼吸の無かった時刻を記録し利用者は起きた時にそれを確認することができる。
【図面の簡単な説明】
【図１】本発明の睡眠時無呼吸症検知器の風速センサー、信号送信機の全体図の例。
【図２】本発明の記録計の全体図の例。
【符号の説明】
１  メガネフレーム。
２  信号送信機。
３  風速センサー。
４  ディスプレイ。
５  操作つまみ。
【図１】
2004275690.tif 000003
【図２】
2004275690.tif 000004